(57)【要約】【課題】足の運動で、体の健康を保つための遊楽装置である足でローラーボールを操作、制御して信号を発生させる構造及び応用装置を提供する。【解決手段】ベース１００には、ローラーボール１０２を支持する球形凹入台座１０１、弧形構造１０３を有している。電源１０４は、交流の市電から直流へ変更させたり、又は一次、二次の充電、放電可能な電池、スーパーコンデンサー又はほかの蓄電装置を形成し、エネルギーが供給される。ローラーボール検知、測定装置１０５はローラーボール１０２の運動状態を検知、測定するものであり、必要に応じて主機１０６又は表示装置１０７を操作又は制御することも可能である。足で操作又は制御する補助装置１０８は、機電スイッチユニット及びソリッドステート電子スイッチ素子から構成される。【選択図】      図１
2004357781.tif 000002
【特許請求の範囲】
【請求項１】
足でローラーボールを操作、制御して信号を発生させる構造及び応用装置において、
ベース（１００）はプラスチック、金属、木材、若しくは他の選定材料、選定の立体幾何形状から構成され、
球形凹入台座（１０１）には、ローラーボール（１０２）を入れ、球形凹入台座（１０１）のエッジに、一箇所又は一箇所以上の安定、制限用の弧形構造（１０３）があり、球形凹入台座（１０１）の選定位置に、選定数量の低い磨耗のブロック、ローラー、又はローラーボール形状の構造を設けて、ローラーボール（１０２）を支持して、低い磨耗の状態となり、ベース（１００）を直接に、足パッドを経由して、地面に置くと使用可能であるとともに、ローラー又は制動装置で、移動又はセットしても選択可能であり、安定性を向上するために、ベースに、側辺の延ばし構造を追加してもよく、さらに、ニーズに応じて、操作、制御スイッチを設置してもよく、
電源（１０４）は交流の市電から、直流へ変更させ、又は一次、二次の充電、放電可能な電池、スーパーコンデンサー又はほかの蓄電装置から形成され、エネルギーを供給し、
ローラーボール（１０２）は選定の材料で作られ、ベース（１００）の球状又は近似球状の球形凹入台座（１０１）にカップリングされ、足の作動、操作を受け、ローラーボール（１０２）とベース（１００）の球形凹入台座（１０１）とのカップリング形態は自由に着脱の方式又はニーズに応じて、落ち止めの制限環状構造又は突出耳を追加するかどうかという選択が可能であり、そんなローラーボールはベースに合わせる特定の構造として、ニーズに応じて、設置又は設置してもよく、ベースは様々な特定サイズ及び材質の球状物に合わせられ、
検知、測定装置（１０５）は光電、電磁誘導や静電誘導や導電の接点など構造を採用し、直接に、ローラーボール（１０２）の運動状態を検知、測定し、又はローラーボール（１０２）が間接に伝動装置を経由して、検知、測定装置（１０５）を作動させ、ローラーボール（１０２）の回る方向及び作動量又はニーズに応じて、回るスピードを検知、測定し、主機（１０６）、表示装置（１０７）を設ける応用装置の場合に、主機（１０６）、表示装置（１０７）を操作、制御することが提供され、
足で操作、制御する補助装置（１０８）は機電スイッチユニット及びソリッドステート電子スイッチ素子から構成され、ニーズに応じて、一つ又は一つ以上の足で操作、制御する補助スイッチを設置し、足で操作、制御するために、蹴ったり、踏んだりすることにより、操作、制御の補助機能を提供し、足で操作、制御する補助装置（１０８）はベース（１００）の選定位置又は単独の位置に設けられ、上述の足で操作、制御する補助装置（１０８）はニーズに応じて、圧力の検知、測定機能を追加し、応用装置は主機（１０６）又は表示装置（１０７）を設ける場合に、足で操作、制御する圧力の信号を検知、測定し、相対に、主機（１０６）又は表示装置（１０７）を操作、制御し、
主機（１０６）はニーズにより、選択に設置されるユニットであり、機電ユニットやソリッドステート電子素子やマイクロプロセサー、相関的な周辺回路から構成され、応用装置の機能を提供し、しかも、ワイヤや赤外線や発射電磁周波や超音波で、ワイヤレス（ＷＩＲＥ  ＬＥＳＳ）のように、検知、測定装置（１０５）、足で操作、制御する補助装置（１０８）、主動の推し動け装置（１０９）などと、ワンウェイ又はツーウェイーの信号伝送を行い、そして、ローラーボール（１０２）及び足で操作、制御する補助装置（１０８）の操作、制御信号により、相対的な信号を処理して、表示装置（１０７）又は他の装置の出力を駆動させ、主機、ベースは一体化の構造又はアセンブリ構造を採用し、
表示装置（１０７）はニーズにより、選択に設置されるユニットであり、機電ユニットやソリッドステート電子素子や視覚信号のＣＲＴ表示装置又はマルチポイントのＬＥＤ又はＯＬＥＤからアセンブリされて構成され、ＰＬＥＤ、ＰＤＰ、ＬＣＤ、ＴＮＬＣＤ、ＰＬＥＤ、ランプ又は他の電気エネルギーから光のエネルギーへ転換するユニットから構成される視覚信号の表示装置がよく見え、それで、必要な図形、文字の視覚信号を提供し、ニーズに応じて、さらに、音声の信号を提供し、主機（１０６）への信号伝送方式はワイヤや赤外線や発射電磁周波や超音波で、ワイヤレス（ＷＩＲＥ  ＬＥＳＳ）のように、主機（１０６）と、ワンウェイ又はツーウェイーの信号伝送を行い、
主動の推し動け装置（１０９）はニーズにより、選択に設置されるユニットであり、電磁作用や気圧や油圧や人力やほかの動力ソースから駆動される主動の推し動け装置の構造を採用し、それで、主動に、ローラーボール（１０２）をプログラマッブルように、周期性又は規則無しという同じ又は同じではない力、方向で、推し動けたり、叩いたり、又は他の状態の位置移動させて駆動し、その結果、ローラーボール（１０２）とベース（１００）の球形凹入台座（１０１）との間隔距離を変更させ、平面の検知、測定装置で、検知、測定の信号を主機（１０６）まで伝送させ、そんな装置はニーズに応じて、設置するかどうかを選択することを特徴とする足でローラーボールを操作、制御して信号を発生させる構造及び応用装置。
【請求項２】
ローラーボール（１０２）とベース（１００）の球形凹入台座（１０１）とのカップリング表面は半分の球面又は半分の球面より小さい、又は半分の球面より少し大きいという構造を採用し、ローラーボール（１０２）とベース（１００）の球形凹入台座（１０１）との間に、操作のエッジに近い位置に、より低い弧形構造（１０３）を追加してもよいし、ローラーを取り付けてもよく、そうすると、足で、ローラーボール（１０２）を作動することが可能であることを特徴とする請求項１記載の足でローラーボールを操作、制御して信号を発生させる構造及び応用装置。
【請求項３】
ローラーボール（１０２）とベース（１００）の球形凹入台座（１０１）との間に、ニーズに応じて、相互排斥の磁気浮力構造を選択に追加してもよく、そうすると、ローラーボール（１０２）とベース（１００）の球形凹入台座との間に、磁気浮力の作用力で、磨耗無しの近似状態となり、また、空気パンプで、圧力の気体を球形凹入台座（１０１）の選定位置の噴出口から噴出させ、ローラーボール（１０２）が浮力を受けるので、ローラーボール（１０２）とベース（１００）の球形凹入台座（１０１）との間における磨耗力を減らすことを特徴とする請求項１記載の足でローラーボールを操作、制御して信号を発生させる構造及び応用装置。
【請求項４】
立姿で操作、制御するために、ベースに手すりを追加してもよく、手すり（１１１）とベース（１００）との間に、折り畳み方式、アセンブリ方式、又は一体化の構造を採用することを特徴とする請求項１記載の足でローラーボールを操作、制御して信号を発生させる構造及び応用装置。
【請求項５】
ニーズに応じて、寸法を選択することが可能であり、ワンセット又はワンセット以上の足で操作、制御する補助装置（１０８）を地面放置タイプのベース（１００）に配置することが可能であり、よって、一人、又は一人以上は両足又は単一足で、ローラーを操作、制御することを特徴とする請求項１記載の足でローラーボールを操作、制御して信号を発生させる構造及び応用装置。
【請求項６】
様々な応用構造において、ニーズに応じて、主機（１０６）、表示装置（１０７）を選択に設置してもよく、ニーズにより、主機（１０６）、表示装置（１０７）の両者又はその単独の一つを設置し、両者又はその一つは足でローラーボールを操作、制御して信号を発生させる構造及び応用装置のベース（１００）に一体化又は分離のように設けられることを特徴とする請求項１記載の足でローラーボールを操作、制御して信号を発生させる構造及び応用装置。
【請求項７】
ローラーボール（１０２）と球形凹入台座（１０１）との間に、ニーズに応じて、選定の位置に、ワンセット又はワンセット以上の主動の推し動け装置（１０９）を設置し、ワンセット又はワンセット以上の平面の検知、測定装置（１１０）を設置することを特徴とする請求項１記載の足でローラーボールを操作、制御して信号を発生させる構造及び応用装置。
【請求項８】
ローラーボール（１０２）、ローラーボール検知、測定装置（１０５）、主動の推し動け装置（１０９）など要素から構成した操作、制御装置であるが、平面の検知、測定装置（１１０）を採用して、ローラーボール検知、測定装置を取り替えてもよく、そんな平面の検知、測定装置（１１０）はニーズに応じて、選択に設置するユニットであり、光電や電磁誘導や超音波や機電スイッチなど装置で、足の操作、制御状態を検知、測定したあとで、主機（１０６）まで伝送し、それで、比較プログラムの設定と比べて、出て来る相対的な信号を表示装置（１０７）又は他のインターフェースへ出力することを特徴とする請求項１記載の足でローラーボールを操作、制御して信号を発生させる構造及び応用装置。
【発明の詳細な説明】
【０００１】
【発明の属する技術分野】
本発明は足でローラーボールを操作、制御して信号を発生させる構造及び応用装置に関するものである。
【０００２】
【従来の技術】
足で操作、制御して、信号を発生させる伝統の応用装置は皆、前の方向から踏むという方式を採用して、ブレーキ、オイルスイッチなどよく見える実例が挙げられる。
【発明が解決しようとする課題】
本発明の目的は、信号の発生機能を提供する装置で、主機を操作、制御又は表示させ、相互に作動し、又は足の運動で、体の健康を保つための遊楽装置である足の運動で、体の健康を保つための遊楽装置である足でローラーボールを操作、制御して信号を発生させる構造及び応用装置を提供することにある。
【０００３】
【課題を解決するための手段】
本発明により、足でローラーボールを操作、制御して信号を発生させる構造及び応用装置の設計は信号の発生機能の装置を提供して、主機を操作、制御、表示させ、相互に作動し、又は足の運動で、体の健康を保つための遊楽装置とする。
【０００４】
【発明の実施の形態】
本発明の目的、特徴および効果などをご了解なさるために、以下、さらに具体的な実施例に図面をあわせて詳しく説明してみよう。
まずは図１を御覧下さい。それは本発明の実施例により、足でローラーボールを操作、制御して信号を発生させる構造及び応用装置が信号の発生構造とする場合に、回路のブロックダイアフレームの説明図である。図２は立体の説明図である。それは主に次の要素から形成される。
ベース１００はプラスチックや金属や木材やほかの選定材料、選定の立体幾何形状から構成される。球形凹入台座１０１には、ローラーボール１０２を入れる。球形凹入台座１０１のエッジに、一つ箇所又は一つ箇所以上の安定、制限用の弧形構造１０３がある。球形凹入台座１０１の選定位置に、選定数量の低い磨耗のブロック又はローラー、又はローラーボール形状の構造を設けて、ローラーボール１０２を支持して、低い磨耗の状態となる。ベース１００を直接に、足パッドを経由して、地面に置くと使用できるが、ローラー又は制動装置で、移動、セットしても選択できる。安定性を向上するために、ベースに、側辺の延ばし構造を追加してもよいし、さらに、ニーズに応じて、操作、制御スイッチを設置してもよい。
【０００５】
電源１０４は交流の市電から、直流へ変更させ、又は一次、二次の充電、放電できる電池、スーパーコンデンサー又はほかの蓄電装置から形成され、エネルギーを供給する。
ローラーボール１０２は選定の材料で作られる、ベース１００の球状又は近似球状の球形凹入台座１０１にカップリングされ、足の作動、操作を受ける。ローラーボール１０２とベース１００の球形凹入台座１０１とのカップリング形態は自由に着脱の方式、ニーズに応じて、落ち止めの制限環状構造又は突出耳を追加するかどうかという選択ができる。そんなローラーボールはベースに合わせる特定の構造として、ニーズに応じて、設置又は設置してもよい。ベースは様々な特定サイズ及び材質の球状物に合われる。
【０００６】
検知、測定装置１０５は光電、電磁誘導や静電誘導や導電の接点など構造を採用し、直接に、ローラーボール１０２の運動状態を検知、測定し、又はローラーボール１０２が間接に伝動装置を経由して、検知、測定装置１０５を作動させ、ローラーボール１０２の回る方向及び作動量又はニーズに応じて、回るスピードを検知、測定する。主機１０６、表示装置１０７を設ける応用装置の場合に、主機１０６、表示装置１０７を操作、制御することが提供される。
【０００７】
足で操作、制御する補助装置１０８は機電スイッチユニット又はソリッドステート電子スイッチ素子から構成される。ニーズに応じて、一つ又は一つ以上の足で操作、制御する補助スイッチを設置する。それで、足で操作、制御するために、蹴たり、踏んだりすることにより、操作、制御の補助機能を提供する。足で操作、制御する補助装置１０８はベース１００の選定位置又は単独の位置に設けられる。上述の足で操作、制御する補助装置１０８はニーズに応じて、圧力の検知、測定機能を追加する。応用装置は主機１０６又は表示装置１０７を設ける場合に、足で操作、制御する圧力の信号を検知、測定し、相対に、主機１０６又は表示装置１０７を操作、制御する。
【０００８】
主機１０６はニーズにより、選択に設置されるユニットであり、機電ユニットやソリッドステート電子素子やマイクロプロセサー、相関的な周辺回路から構成され、応用装置の機能を提供する。しかも、ワイヤや赤外線や発射電磁周波や超音波で、ワイヤレス（ＷＩＲＥ  ＬＥＳＳ）のように、検知、測定装置１０５、足で操作、制御する補助装置１０８、主動の推し動け装置１０９などと、ワンウェイ又はツーウェイーの信号伝送を行う。そして、ローラーボール１０２及び足で操作、制御する補助装置１０８の操作、制御信号により、相対的な信号を処理して、表示装置１０７又は他の装置の出力を駆動させる。主機、ベースは一体化の構造又はアセンブリ構造を採用する。
【０００９】
表示装置１０７はニーズにより、選択に設置されるユニットであり、機電ユニットやソリッドステート電子素子や視覚信号のＣＲＴ表示装置又はマルチポイントのＬＥＤ又はＯＬＥＤからアセンブリされて構成される。ＰＬＥＤ、ＰＤＰ、ＬＣＤ、ＴＮＬＣＤ、ＰＬＥＤ、ランプ又はほかの電気エネルギーから光のエネルギーへ転換するユニットから構成される視覚信号の表示装置がよく見える。それで、必要な図形、文字の視覚信号を提供し、ニーズに応じて、さらに、音声の信号を提供する。主機１０６への信号伝送方式はワイヤや赤外線や発射電磁周波や超音波で、ワイヤレス（ＷＩＲＥ  ＬＥＳＳ）のように、主機１０６と、ワンウェイ又はツーウェイーの信号伝送を行う。
【００１０】
主動の推し動け装置１０９はニーズにより、選択に設置されるユニットであり、電磁作用や気圧や油圧や人力やほかの動力ソースから駆動される主動の推し動け装置の構造を採用する。それで、主動に、ローラーボール１０２をプログラマッブルように、周期性又は規則無しという同じ又は同じではない力、方向で、推し動けたり、叩いたり、又は他の状態の位置移動させて駆動する。その結果、ローラーボール１０２とベース１００の球形凹入台座１０１との間隔距離を変更させ、平面の検知、測定装置で、検知、測定の信号を主機１０６まで伝送させる。そんな装置はニーズに応じて、設置するかどうかを選択する。
【００１１】
前掲ローラーボール１０２とベース１００の球形凹入台座１０１とのカップリング表面は半分の球面又は半分の球面より小さい、又は半分の球面より少し大きいという構造を採用する。ローラーボール１０２とベース１００の球形凹入台座１０１との間に、操作のエッジに近い位置に、より低い弧形構造１０３を追加してもよいし、ローラーを取り付けてもよい。そうすると、足で、ローラーボール１０２を作動することができる。
【００１２】
その他、前掲ローラーボール１０２とベース１００の球形凹入台座１０１との間に、ニーズに応じて、相互排斥の磁気浮力構造を選択に追加してもよい。そうすると、ローラーボール１０２とベース１００の球形凹入台座との間に、磁気浮力の作用力で、磨耗無しの近似状態となる。また、空気パンプで、圧力の気体を球形凹入台座１０１の選定位置の噴出口から噴出させる。ローラーボール１０２が浮力を受けるので、ローラーボール１０２とベース１００の球形凹入台座１０１との間における磨耗力を減らす。
【００１３】
足でローラーボールを操作、制御して信号を発生させる構造及び応用装置はニーズに応じて、様々な応用構造の形態が採用できる。図１に示すように、立姿で操作できる以外、坐姿でも、操作できる。図３に示すのは図１の実施例を立姿で操作する説明図であり、図４に示すのは図１の実施例を坐姿で操作する説明図であり、図５に示すのは足でローラーボールを操作、制御して信号を発生させる構造及び応用装置のベースに、手すりを追加して、立姿で操作する説明図であり、図６に示すのは図５の前視図であり、図７に示すのは図５の実施例において、立姿で操作する説明図である。なお、手すり１１１とベース１００との間に、折り畳み方式又はアセンブリ方式、又は一体化の構造を採用する。
【００１４】
足でローラーボールを操作、制御して信号を発生させる構造及び応用装置はニーズに応じて、寸法を選択することができ、ワンセット又はワンセット以上の足で操作、制御する補助装置１０８を地面放置タイプのベース１００に配置することができる。よって、一人、又は一人以上は両足又は単一足で、ローラーを操作、制御する。図８に示すのは本実施例により、球面に立ち、操作、制御する実施例の説明図であり、操作の安定、安全性を考えるために、片側又は両側に、手すり１１１を追加してもよい。図９に示すのは、本実施例により、手すりを追加し、球面に立ち、操作、制御する実施例の説明図である。
【００１５】
様々な応用構造において、ニーズに応じて、主機１０６、表示装置１０７を選択に設置してもよい。ニーズにより、主機１０６、表示装置１０７の両者又はその単独の一つを設置する。両者又はその一つは足でローラーボールを操作、制御して信号を発生させる構造及び応用装置のベース１００に一体化又は分離のように設けられる。前述の図１に示すように、主機と表示装置は分離構造の実施例である。図１０に示すのは本実施例により、主機、表示装置、ベースを一体化させる構造の説明図であり、図１１に示すのは本実施例により、表示装置が単独に設置されるが、主機、ベースを一体化させる構造の説明図であり、図１２に示すのは本実施例により、主機が単独に設置されるが、表示装置、ベースを一体化させる構造の説明図である。また、ローラーボール１０２と球形凹入台座１０１との間に、ニーズに応じて、選定の位置に、ワンセット又はワンセット以上の主動の推し動け装置１０９を設置し、ワンセット又はワンセット以上の平面の検知、測定装置１１０を設置する。
【００１６】
前述の図１、図１０、図１１、図１２の実施例はローラーボール１０２、ローラーボール検知、測定装置１０５、主動の推し動け装置１０９など要素から構成した操作、制御装置であるが、平面の検知、測定装置１１０を採用して、ローラーボール検知、測定装置を取り替えてもよい。そんな平面の検知、測定装置１１０はニーズに応じて、選択に設置するユニットであり、光電や電磁誘導や超音波や機電スイッチなど装置で、足の操作、制御状態を検知、測定したあとで、主機１０６まで伝送する。それで、比較プログラムの設定と比べて、出て来る相対的な信号を表示装置１０７又は他のインターフェースへ出力する。例えば、図１３に示すのは本実施例により、平面の検知、測定装置が図１のローラーボール検知、測定装置を取り替える構造実施例の説明図であり、図１４に示すのは本実施例により、平面の検知、測定装置が図１０のローラーボール検知、測定装置を取り替える構造実施例の説明図であり、図１５に示すのは本実施例により、平面の検知、測定装置が図１１のローラーボール検知、測定装置を取り替える構造実施例の説明図であり、図１６に示すのは本実施例により、平面の検知、測定装置が図１２のローラーボール検知、測定装置を取り替える構造実施例の説明図である。
【００１７】
以上の内容をまとめると、そんな足でローラーボールを操作、制御して信号を発生させる構造及び応用装置は足の操作で、各種の相対信号を発生させるという新鋭の設計を開拓し、コンピューターの入力、訓練、娯楽器材など範囲に応用される。独創な発想により、正確かつ適切な効果があるので、特許の請求を提出いたし、法律により、審査なさって下さい。
【００１８】
【発明の効果】
本発明の主な目的は足でローラーボールを操作、制御して信号を発生させる構造及び応用装置を提供することにある。信号の発生機能を提供する装置で、主機を操作、制御、表示させ、相互に作動し、又は足の運動で、体の健康を保つための遊楽装置とする。
【図面の簡単な説明】
【図１】本発明の実施例による足でローラーボールを操作、制御して信号を発生させる構造及び応用装置の回路のブロックダイアフレームを示す説明図である。
【図２】本発明の実施例による足でローラーボールを操作、制御して信号を発生させる構造及び応用装置を示す斜視図である。
【図３】本発明の実施例による足でローラーボールを操作、制御して信号を発生させる構造及び応用装置を立姿で操作する状態を示す説明図である。
【図４】本発明の実施例による足でローラーボールを操作、制御して信号を発生させる構造及び応用装置を坐姿で操作する状態を示す説明図である。
【図５】本発明の実施例による足でローラーボールを操作、制御して信号を発生させる構造及び応用装置のベースに手すりを追加して、立姿で操作する状態を示す説明図である。
【図６】本発明の実施例による図５の足でローラーボールを操作、制御して信号を発生させる構造及び応用装置の正面図である。
【図７】本発明の実施例による図５の足でローラーボールを操作、制御して信号を発生させる構造及び応用装置を立姿で操作する状態を示す説明図である。
【図８】本発明の実施例による足でローラーボールを操作、制御して信号を発生させる構造及び応用装置の球面に立ち、操作、制御する状態を示す説明図である。
【図９】本発明の実施例による足でローラーボールを操作、制御して信号を発生させる構造及び応用装置に手すりを追加した球面に立ち、操作、制御する状態を示す説明図である。
【図１０】本発明の実施例による足でローラーボールを操作、制御して信号を発生させる構造及び応用装置の主機、表示装置及びベースを一体化させる構造を示す説明図である。
【図１１】本発明の実施例による足でローラーボールを操作、制御して信号を発生させる構造及び応用装置の表示装置が単独に設置され、主機及びベースが一体化される構造を示す説明図である。
【図１２】本発明の実施例による足でローラーボールを操作、制御して信号を発生させる構造及び応用装置の主機が単独に設置され、表示装置及びベースが一体化される構造を示す説明図である。
【図１３】本発明の実施例による図１の足でローラーボールを操作、制御して信号を発生させる構造及び応用装置の平面の検知及び測定装置がローラーボール検知及び測定装置と取り替えられた状態を示す説明図である。
【図１４】本発明の実施例による図１０の足でローラーボールを操作、制御して信号を発生させる構造及び応用装置の平面の検知及び測定装置がローラーボール検知及び測定装置と取り替えられた状態を示す説明図である。
【図１５】本発明の実施例による図１１の足でローラーボールを操作、制御して信号を発生させる構造及び応用装置の平面の検知及び測定装置がローラーボール検知及び測定装置と取り替えられた状態を示す説明図である。
【図１６】本発明の実施例による図１２の足でローラーボールを操作、制御して信号を発生させる構造及び応用装置の平面の検知及び測定装置がローラーボール検知及び測定装置と取り替えられた状態を示す説明図である。
【符号の説明】
１００    ベース
１０１    球形凹入台座
１０２    ローラーボール
１０３    弧形構造
１０４    電源
１０５    ローラーボール検知、測定装置
１０６    主機
１０７    表示装置
１０８    足で操作、制御する補助装置
１０９    主動の推し動け装置
１１０    平面の検知、測定装置
１１１    手すり
【図１】
2004357781.tif 000003
【図２】
2004357781.tif 000004
【図３】
2004357781.tif 000005
【図４】
2004357781.tif 000006
【図５】
2004357781.tif 000007
【図６】
2004357781.tif 000008
【図７】
2004357781.tif 000009
【図８】
2004357781.tif 000010
【図９】
2004357781.tif 000011
【図１０】
2004357781.tif 000012
【図１１】
2004357781.tif 000013
【図１２】
2004357781.tif 000014
【図１３】
2004357781.tif 000015
【図１４】
2004357781.tif 000016
【図１５】
2004357781.tif 000017
【図１６】
2004357781.tif 000018